(57)【要約】【課題】消耗品である遊技スイッチ群を、スロットユニットとは別体として、従来のような取り外しの複雑な手間をなくすと共に、簡単に交換可能にする構造を提供すること。【解決手段】分離型スロットマシン１００の前面において、遊技スイッチ群５０を下部ドア３に装着し、スロットユニットとは別体として、簡易連結手段１５、２０により筐体１に着脱自在に連結したドア構造とした。この構成により、下部ドア３の上部を手前に引出して持ち上げるだけで下部ドア３を取り外すことができ、上部ドア２と一体のスロットユニットには無関係に下部ドア３のみをワンタッチ式に簡単に取り外し、遊技スイッチ群５０を交換することができる。【選択図】      図１
2004180886.tif 000002
【特許請求の範囲】
【請求項１】
スロットマシンの前面において、筐体と、遊技スイッチ群を装着した下部ドアの下縁とを、簡易連結手段により着脱自在に連結したことを特徴とするスロットマシンの前面ドア構造。
【請求項２】
前記遊技スイッチ群は、遊技スイッチ配設台に配設することを特徴とする請求項１に記載のスロットマシンの前面ドア構造。
【請求項３】
前記遊技スイッチ配設台は、前記下部ドアの上部に配設することを特徴とする請求項１ないし請求項２に記載のスロットマシンの前面ドア構造。
【請求項４】
前記簡易連結手段は、鞍型簡易連結手段としたことを特徴とする請求項１ないし請求項３に記載のスロットマシンの前面ドア構造。
【請求項５】
前記鞍型簡易連結手段は、鞍側部材と馬側部材との組合せから成ることを特徴とする請求項１ないし請求項４に記載のスロットマシンの前面ドア構造。
【請求項６】
前記鞍側部材は、馬側部材に跨る円弧面と、該円弧面に連続して形成される溝部とを有することを特徴とする請求項１ないし請求項５に記載のスロットマシンの前面ドア構造。
【請求項７】
前記馬側部材は、鞍側部材を載置する円形又は多角形の胴部を有することを特徴とする請求項１ないし請求項６に記載のスロットマシンの前面ドア構造。
【請求項８】
前記鞍側部材は、前記下部ドアの内側下縁に設けられることを特徴とする請求項１ないし請求項７に記載のスロットマシンの前面ドア構造。
【請求項９】
前記馬側部材は、前記筐体の開口部下端に設けられることを特徴とする請求項１ないし請求項８に記載のスロットマシンの前面ドア構造。
【請求項１０】
前記簡易連結手段は、逆鞍型簡易連結手段としたことを特徴とする請求項１ないし請求項３に記載のスロットマシンの前面ドア構造。
【請求項１１】
前記逆鞍型簡易連結手段は、逆鞍側部材と馬側部材との組合せから成ることを特徴とする請求項１ないし請求項３及び請求項１０に記載のスロットマシンの前面ドア構造。
【請求項１２】
前記逆鞍側部材は、馬側部材を載せる上向き円弧面と、該円弧面に連続して形成される溝部とを有することを特徴とする請求項１ないし請求項３及び請求項１０ないし請求項１１に記載のスロットマシンの前面ドア構造。
【請求項１３】
前記馬側部材は、前記逆鞍側部材に載置される円形又は多角形の胴部を有することを特徴とする請求項１ないし請求項３及び請求項１０ないし請求項１２に記載のスロットマシンの前面ドア構造。
【請求項１４】
前記逆鞍側部材は、前記筐体の開口部下端に設けられることを特徴とする請求項１ないし請求項３及び請求項１０ないし請求項１３に記載のスロットマシンの前面ドア構造。
【請求項１５】
前記馬側部材は、前記下部ドアの内側下縁に設けられることを特徴とする請求項１ないし請求項３及び請求項１０ないし請求項１４に記載のスロットマシンの前面ドア構造。
【請求項１６】
前記簡易連結手段は、横軸型簡易連結手段としたことを特徴とする請求項１ないし請求項３に記載のスロットマシンの前面ドア構造。
【請求項１７】
前記横軸型簡易連結手段は、横軸配設部材と嵌合穴配設部材とから成ることを特徴とする請求項１ないし請求項３及び請求項１６に記載のスロットマシンの前面ドア構造。
【請求項１８】
前記横軸配設部材は、前記筐体の開口部下端に設けられることを特徴とする請求項１ないし請求項３及び請求項１６ないし請求項１７に記載のスロットマシンの前面ドア構造。
【請求項１９】
前記嵌合穴配設部材は、前記下部ドアの内側下縁に設けられることを特徴とする請求項１ないし請求項３及び請求項１６ないし請求項１８に記載のスロットマシンの前面ドア構造。
【発明の詳細な説明】
【０００１】
【発明の属する利用分野】
この発明は、遊技機におけるスロットマシンの前面ドア構造に関するものであり、詳しくは遊技スイッチ群を設けたドアのみをスロットユニットとは独立に着脱できるようにしたスロットマシンの前面ドア構造に関するものである。
【０００２】
【従来の技術】
従来よりスロットマシンの遊技機においては、流行にしたがって遊技機のモデルチェンジを行なう場合に、筐体ごと遊技機全部を取り替えることが行われていたが、近年では、機種替えの容易化を図るために、モデルチェンジをする部分だけを取り替えるようになってきている。特に最近のスロットマシンにおいては、遊技機のドラム装置、ドラム周辺表示板（上部前面化粧板）、遊技制御基板等をユニット化し、前面ドアを上下に分割してスロットユニットを前面ドアの開口に装着すると共に上部ドアを含むスロットユニットを筐体の一側に軸支するように構成し、スロットユニットを筐体に対して交換可能に構成することにより、スロットマシンの機種替えを容易にし、筐体側を再使用できるようにした分離型スロットマシンが知られている。例えば、特許文献１で提案されたスロットマシンは、遊技機の前面のパネル扉を上下に分割し、上方の前扉部分には、ヒンジ装置を介してリール装置と主基板とを備えた表示窓を有する上部ドアを本体箱に対して開閉可能に取り付け、下方部分には、交換可能な装飾パネルを有する下部ドアを取り付けて構成している。このスロットマシンでは、従来、新旧の機種交換は面倒で、手数が掛っていたのを、前扉を交換するだけでスロットの新旧の機種交換を迅速に且つ簡便に行なうことができるようにしたものであり、前扉に遊技のためのメダル投入口やリール装置を駆動停止する操作スイッチ、ストップスイッチ等が設けられた遊技スイッチ群が上部ドア又は下部ドアに配置されて構成されている。また、これとは別の一体型スロットマシンにおいて、例えば、特許文献２では、スロットマシンの本体の前面パネルに、絵柄が描かれたリールを回転始動するための始動レバー、該回転を停止するためのストップボタン、メダル投入口等が前方にせり出すように突出形成された本体前面中央部（遊技スイッチ配設台）が設けられると共に、本体内部にメダルを貯留するホッパー装置が設けられ、メダルを補給する機構として、前記遊技スイッチ配設台の下方に、前面開口及び前面リッドを設け、前面リッドの下縁部近傍を中心として該リッド上縁部が前方へ傾いて前面開口を開く前傾姿勢に傾動可能に構成したものがある。
【０００３】
【特許文献１】
特開平１０−５２５２５号公報（第４−６頁、図１、図２）
【特許文献２】
特開平１１−１６９５１０号公報（第２−４頁、図１、図２）
【０００４】
【発明が解決しようとする課題】
分離型スロットマシンでは、ドラムと主基板がスロットユニット側、遊技スイッチ群が筐体側に設けられている場合、消耗品である遊技スイッチ群をスロットユニットとは別体として交換可能にする構造が望ましい。また、分離型スロットマシンの場合、特に上下のドアの隙間から筐体内へカード等を進入させるなどの不正行為に対する防犯構造も維持しなければならない。しかし、上記特許文献１の発明では、遊技スイッチ群を下部ドアに設けた場合、該下部ドアを左側縁で蝶着しているため、下部ドアを外す前に上部ドアすなわちスロットユニットを外す必要があり、該上下のドアを外すのにいちいち上方に持ち上げるなどして上下のヒンジ装置から取り外さなければならず、手間が掛かるという問題がある。また、特許文献２の発明でも、スロットマシンの遊技用始動レバー、ストップボタン、メダル投入口等の遊技スイッチ配設台が前方にせり出して突出形成された本体前面中央部の下に、下縁部で軸支された前面リッド（ドア）が別体として設けられているため、遊技スイッチ群を交換するには、該前面リッドを前傾姿勢に保持する係止手段を取り外すと共に該前面リッドを蝶着している枢軸をも取り外し、更に遊技スイッチ配設台の遊技スイッチ群を取り外す必要があり、これも一層複雑な手間が掛かるという問題があった。
【０００５】
本発明は、上記問題に鑑み、その解決しようとする課題は、スロットマシンにおいて、消耗品である遊技スイッチ群を、スロットユニットとは別体として、従来のような取り外しの複雑な手間をなくすと共に、簡単に交換可能にする構造を提供することを目的とする。
【０００６】
【課題を解決するための手段】
本発明は上記の課題を解決する為になされたものであり、その解決の為に講じた本発明の手段と、その作用は次のとおりである。
【０００７】
請求項１では、スロットマシンの前面において、筐体と、遊技スイッチ群を装着した下部ドアの下縁とを、簡易連結手段により着脱自在に連結したスロットマシンの前面ドア構造を提案する。
【０００８】
（作用）  該構成により、スロットマシンの前面において、消耗品である遊技スイッチ群を下部ドアに装着し、スロットユニットとは別体として、簡易連結手段により筐体に着脱自在に連結したドア構造としたので、簡易連結手段の連結を解除するだけで下部ドアを取り外すことができ、ドアを取り外すための複雑な手間をなくして遊技スイッチ群を簡単に交換可能にすることができる。
【０００９】
請求項２では、請求項１のスロットマシンの前面ドア構造において、前記遊技スイッチ群は、遊技スイッチ配設台に配設するスロットマシンの前面ドア構造を提案する。
【００１０】
（作用）  該構成により、スロットマシンの前面において、消耗品である遊技スイッチ群を配設した遊技スイッチ配設台を下部ドアに装着し、スロットユニットとは別体として、簡易連結手段により筐体に着脱自在に連結したドア構造としたので、簡易連結手段の連結を解除するだけで下部ドアを取り外すことができ、ドアを取り外すための複雑な手間をなくして遊技スイッチ群を配設した遊技スイッチ配設台を簡単に交換可能にすることができる。また、遊技スイッチ群を遊技スイッチ配設台に配設するため、スイッチの操作性が向上する。
【００１１】
請求項３では、請求項１ないし請求項２のいずれかのスロットマシンの前面ドア構造において、前記遊技スイッチ配設台は、前記下部ドアの上部に配設するスロットマシンの前面ドア構造を提案する。
【００１２】
（作用）  該構成により、スロットマシンの前面において、消耗品である遊技スイッチ群を配設した遊技スイッチ配設台を一体的に下部ドアに装着し、スロットユニットとは別体として、簡易連結手段により筐体に着脱自在に連結したドア構造としたので、簡易連結手段の連結を解除するだけで下部ドアを取り外すことができ、ドアを取り外すための複雑な手間をなくして遊技スイッチ群を配設した遊技スイッチ配設台を簡単に交換可能にすることができる。また、下部ドアを開いた時に遊技スイッチ配設台の高さから筐体内部のホッパー装置へのメダル補給が可能になるため、その分、ホッパー装置を上方に大型化でき、メダル補給の作業性も向上する。
【００１３】
請求項４では、請求項１ないし請求項３のいずれかのスロットマシンの前面ドア構造において、前記簡易連結手段は、鞍型簡易連結手段としたスロットマシンの前面ドア構造を提案する。
【００１４】
（作用）  該構成により、スロットマシンの前面において、消耗品である遊技スイッチ群を下部ドアに装着し、スロットユニットとは別体として、鞍型簡易連結手段により筐体に着脱自在に連結したドア構造としたので、下部ドアの下縁を軸に該下部ドアの上部を手前に引出して持ち上げるだけで鞍型簡易連結手段の連結を解除して下部ドアを取り外すことができ、ドアを取り外すための複雑な手間をなくして遊技スイッチ群を簡単に交換可能にすることができる。
【００１５】
請求項５では、請求項１ないし請求項４のいずれかのスロットマシンの前面ドア構造において、前記鞍型簡易連結手段は、鞍側部材と馬側部材との組合せから成るスロットマシンの前面ドア構造を提案する。
【００１６】
（作用）  該構成により、スロットマシンの前面において、消耗品である遊技スイッチ群を下部ドアに装着し、スロットユニットとは別体として、鞍型簡易連結手段により筐体に着脱自在に連結したドア構造としたので、下部ドアの下縁を軸に該下部ドアの上部を手前に引出して持ち上げるだけで鞍型簡易連結手段の連結を解除して下部ドアを取り外すことができ、ドアを取り外すための複雑な手間をなくして遊技スイッチ群を簡単に交換可能にすることができる。
【００１７】
請求項６では、請求項１ないし請求項５のいずれかのスロットマシンの前面ドア構造において、前記鞍側部材は、馬側部材に跨る円弧面と、該円弧面に連続して形成される溝部とを有するスロットマシンの前面ドア構造を提案する。
【００１８】
（作用）  該構成により、スロットマシンの前面において、消耗品である遊技スイッチ群を下部ドアに装着し、スロットユニットとは別体として、鞍型簡易連結手段により筐体に着脱自在に連結したドア構造としたので、下部ドアの下縁を軸に該下部ドアの上部を手前に引出して持ち上げるだけで鞍型簡易連結手段の連結を解除して下部ドアを取り外すことができ、ドアを取り外すための複雑な手間をなくして遊技スイッチ群を簡単に交換可能にすることができる。
【００１９】
請求項７では、請求項１ないし請求項６のいずれかのスロットマシンの前面ドア構造において、前記馬側部材は、鞍側部材を載置する円形又は多角形の胴部を有するスロットマシンの前面ドア構造を提案する。
【００２０】
（作用）  該構成により、スロットマシンの前面において、消耗品である遊技スイッチ群を下部ドアに装着し、スロットユニットとは別体として、鞍型簡易連結手段により筐体に着脱自在に連結したドア構造としたので、下部ドアの下縁を軸に該下部ドアの上部を手前に引出して持ち上げるだけで鞍型簡易連結手段の連結を解除して下部ドアを取り外すことができ、ドアを取り外すための複雑な手間をなくして遊技スイッチ群を簡単に交換可能にすることができる。
【００２１】
請求項８では、請求項１ないし請求項７のいずれかのスロットマシンの前面ドア構造において、前記鞍側部材は、前記下部ドアの内側下縁に設けられるスロットマシンの前面ドア構造を提案する。
【００２２】
（作用）  該構成により、スロットマシンの前面において、消耗品である遊技スイッチ群を下部ドアに装着し、スロットユニットとは別体として、鞍型簡易連結手段により筐体に着脱自在に連結したドア構造としたので、下部ドアの下縁を軸に該下部ドアの上部を手前に引出して持ち上げるだけで鞍型簡易連結手段の連結を解除して下部ドアを取り外すことができ、ドアを取り外すための複雑な手間をなくして遊技スイッチ群を簡単に交換可能にすることができる。
【００２３】
請求項９では、請求項１ないし請求項８のいずれかのスロットマシンの前面ドア構造において、前記馬側部材は、前記筐体の開口部下端に設けられるスロットマシンの前面ドア構造を提案する。
【００２４】
（作用）  該構成により、スロットマシンの前面において、消耗品である遊技スイッチ群を下部ドアに装着し、スロットユニットとは別体として、鞍型簡易連結手段により筐体に着脱自在に連結したドア構造としたので、下部ドアの下縁を軸に該下部ドアの上部を手前に引出して持ち上げるだけで鞍型簡易連結手段の連結を解除して下部ドアを取り外すことができ、ドアを取り外すための複雑な手間をなくして遊技スイッチ群を簡単に交換可能にすることができる。
【００２５】
請求項１０では、請求項１ないし請求項３のいずれかのスロットマシンの前面ドア構造において、前記簡易連結手段は、逆鞍型簡易連結手段としたスロットマシンの前面ドア構造を提案する。
【００２６】
（作用）  該構成により、スロットマシンの前面において、消耗品である遊技スイッチ群を下部ドアに装着し、スロットユニットとは別体として、逆鞍型簡易連結手段により筐体に着脱自在に連結したドア構造としたので、下部ドアの下縁を軸に該下部ドアの上部を手前に引出して持ち上げるだけで逆鞍型簡易連結手段の連結を解除して下部ドアを取り外すことができ、ドアを取り外すための複雑な手間をなくして遊技スイッチ群を簡単に交換可能にすることができる。
【００２７】
請求項１１では、請求項１ないし請求項３及び請求項１０のいずれかのスロットマシンの前面ドア構造において、前記逆鞍型簡易連結手段は、逆鞍側部材と馬側部材との組合せから成るスロットマシンの前面ドア構造を提案する。
【００２８】
（作用）  該構成により、スロットマシンの前面において、消耗品である遊技スイッチ群を下部ドアに装着し、スロットユニットとは別体として、逆鞍型簡易連結手段により筐体に着脱自在に連結したドア構造としたので、下部ドアの下縁を軸に該下部ドアの上部を手前に引出して持ち上げるだけで逆鞍型簡易連結手段の連結を解除して下部ドアを取り外すことができ、ドアを取り外すための複雑な手間をなくして遊技スイッチ群を簡単に交換可能にすることができる。
【００２９】
請求項１２では、請求項１ないし請求項３及び請求項１０ないし請求項１１のいずれかのスロットマシンの前面ドア構造において、前記逆鞍側部材は、馬側部材を載せる上向き円弧面と、該円弧面に連続して形成される溝部とを有するスロットマシンの前面ドア構造を提案する。
【００３０】
（作用）  該構成により、スロットマシンの前面において、消耗品である遊技スイッチ群を下部ドアに装着し、スロットユニットとは別体として、逆鞍型簡易連結手段により筐体に着脱自在に連結したドア構造としたので、下部ドアの下縁を軸に該下部ドアの上部を手前に引出して持ち上げるだけで逆鞍型簡易連結手段の連結を解除して下部ドアを取り外すことができ、ドアを取り外すための複雑な手間をなくして遊技スイッチ群を簡単に交換可能にすることができる。
【００３１】
請求項１３では、請求項１ないし請求項３及び請求項１０ないし請求項１２のいずれかのスロットマシンの前面ドア構造において、前記馬側部材は、前記逆鞍側部材に載置される円形又は多角形の胴部を有するスロットマシンの前面ドア構造を提案する。
【００３２】
（作用）  該構成により、スロットマシンの前面において、消耗品である遊技スイッチ群を下部ドアに装着し、スロットユニットとは別体として、逆鞍型簡易連結手段により筐体に着脱自在に連結したドア構造としたので、下部ドアの下縁を軸に該下部ドアの上部を手前に引出して持ち上げるだけで逆鞍型簡易連結手段の連結を解除して下部ドアを取り外すことができ、ドアを取り外すための複雑な手間をなくして遊技スイッチ群を簡単に交換可能にすることができる。
【００３３】
請求項１４では、請求項１ないし請求項３及び請求項１０ないし請求項１３のいずれかのスロットマシンの前面ドア構造において、前記逆鞍側部材は、前記筐体の開口部下端に設けられるスロットマシンの前面ドア構造を提案する。
【００３４】
（作用）  該構成により、スロットマシンの前面において、消耗品である遊技スイッチ群を下部ドアに装着し、スロットユニットとは別体として、逆鞍型簡易連結手段により筐体に着脱自在に連結したドア構造としたので、下部ドアの下縁を軸に該下部ドアの上部を手前に引出して持ち上げるだけで逆鞍型簡易連結手段の連結を解除して下部ドアを取り外すことができ、ドアを取り外すための複雑な手間をなくして遊技スイッチ群を簡単に交換可能にすることができる。
【００３５】
請求項１５では、請求項１ないし請求項３及び請求項１０ないし請求項１４のいずれかのスロットマシンの前面ドア構造において、前記馬側部材は、前記下部ドアの内側下縁に設けられるスロットマシンの前面ドア構造を提案する。
【００３６】
（作用）  該構成により、スロットマシンの前面において、消耗品である遊技スイッチ群を下部ドアに装着し、スロットユニットとは別体として、逆鞍型簡易連結手段により筐体に着脱自在に連結したドア構造としたので、下部ドアの下縁を軸に該下部ドアの上部を手前に引出して持ち上げるだけで逆鞍型簡易連結手段の連結を解除して下部ドアを取り外すことができ、ドアを取り外すための複雑な手間をなくして遊技スイッチ群を簡単に交換可能にすることができる。
【００３７】
請求項１６では、請求項１ないし請求項３のいずれかのスロットマシンの前面ドア構造において、前記簡易連結手段は、横軸型簡易連結手段としたスロットマシンの前面ドア構造を提案する。
【００３８】
（作用）  該構成により、スロットマシンの前面において、消耗品である遊技スイッチ群を下部ドアに装着し、スロットユニットとは別体として、横軸型簡易連結手段により筐体に着脱自在に連結したドア構造としたので、下部ドアの下縁を軸に該下部ドアの上部を手前に引出して側方にずらして該連結手段を外すだけで下部ドアを取り外すことができ、ドアを取り外すための複雑な手間をなくして遊技スイッチ群を簡単に交換可能にすることができる。
【００３９】
請求項１７では、請求項１ないし請求項３及び請求項１６のいずれかのスロットマシンの前面ドア構造において、前記横軸型簡易連結手段は、横軸配設部材と嵌合穴配設部材とから成るスロットマシンの前面ドア構造を提案する。
【００４０】
（作用）  該構成により、スロットマシンの前面において、消耗品である遊技スイッチ群を下部ドアに装着し、スロットユニットとは別体として、横軸型簡易連結手段により筐体に着脱自在に連結したドア構造としたので、下部ドアの下縁を軸に該下部ドアの上部を手前に引出して側方にずらして該連結手段を外すだけで下部ドアを取り外すことができ、ドアを取り外すための複雑な手間をなくして遊技スイッチ群を簡単に交換可能にすることができる。
【００４１】
請求項１８では、請求項１ないし請求項３及び請求項１６ないし請求項１７のいずれかのスロットマシンの前面ドア構造において、前記横軸配設部材は、前記筐体の開口部下端に設けられるスロットマシンの前面ドア構造を提案する。
【００４２】
（作用）  該構成により、スロットマシンの前面において、消耗品である遊技スイッチ群を下部ドアに装着し、スロットユニットとは別体として、横軸型簡易連結手段により筐体に着脱自在に連結したドア構造としたので、下部ドアの下縁を軸に該下部ドアの上部を手前に引出して側方にずらして該連結手段を外すだけで下部ドアを取り外すことができ、ドアを取り外すための複雑な手間をなくして遊技スイッチ群を簡単に交換可能にすることができる。
【００４３】
請求項１９では、請求項１ないし請求項３及び請求項１６ないし請求項１８のいずれかのスロットマシンの前面ドア構造において、前記嵌合穴配設部材は、前記下部ドアの内側下縁に設けられるスロットマシンの前面ドア構造を提案する。
【００４４】
（作用）  該構成により、スロットマシンの前面において、消耗品である遊技スイッチ群を下部ドアに装着し、スロットユニットとは別体として、横軸型簡易連結手段により筐体に着脱自在に連結したドア構造としたので、下部ドアの下縁を軸に該下部ドアの上部を手前に引出して側方にずらして該連結手段を外すだけで下部ドアを取り外すことができ、ドアを取り外すための複雑な手間をなくして遊技スイッチ群を簡単に交換可能にすることができる。
【００４５】
【本発明の実施の形態】
次に、各図を参照しながら、本発明の実施の形態について説明する。図１は、分離型スロットマシン１００の斜視図である。
【００４６】
（分離型スロットマシンの概略構造）
図１及び２に基づいて説明する。分離型スロットマシン１００は、筐体１と、この筐体１の上部に設けた表示部９を有する上部ドア２と、同じく下部に設けた下部ドア３とを備えている。筐体１は、底板４と、この底板４の両側から起立する側板５，５及び天板６からなる筐体であって、分離型スロットマシン１００の前面に開口部７を有している。筐体１は、座りをよくするために底板４を天板６よりも大きく、すなわち、両側板５，５が台形となるように構成してある。表示部９は、遊技状態等を示すためのもので、複数のリール１０，・・により構成してある。これとは別に、リール以外に、例えば液晶により表示する場合もある。下部ドア３は、底板４の前端縁に後述する簡易連結手段（枢着装置）により上開き可能に、かつ、着脱自在に結合されている。下部ドア３の前面下部には、筐体１の底板４上に載置されたホッパー装置１１から投出するメダルを受け取るための受け皿１２を設けてある。
【００４７】
（下部ドアの第１の枢着装置の構造）
図１及び２に示すように、筐体１の底板４の前端縁には、下部ドア３がその下縁において鞍型簡易連結手段（第１の枢着装置）により上開き可能に、かつ、着脱自在に結合されている。そして、遊技スイッチ群５０を配置した遊技スイッチ配設台８が下部ドア３の上部に一体的に設けられている。本発明において、鞍型簡易連結手段とは、二つの部材間において、一方の胴部材の上に他方の鞍型部材が載置されるようにして該二つの部材を水平方向に離脱しないように連結する構造を有する手段をいう。
【００４８】
図２〜図５に示すように、この鞍型簡易連結手段（以下、第１の枢着装置という）は、ドア側に固着される鞍側部材としての枢着金具１５と、筐体側に固着される馬側部材としての軸支持金具２０とからなっている。この第１の枢着装置では、この枢着金具１５と軸支持金具２０とは金属製の板材から形成されているものを使用しているが、これに限定されることなく、機械加工により削り出したものや鋳造品等を使用してもよいものである。枢着金具１５は、帯板状の板材の基部１６をコ字状に折り返し、その先端を更に逆向きに半円状に折り返して半円溝部１７を形成した構造を有しており、前記基部１６には、下部ドア３裏面側に形成した突起３２，３２にネジ等で固着するための穴が形成されている。一方、軸支持金具２０は、前記枢着金具１５よりも幅広の底部２１を有し、その両側部を立ち上げて側部２２，２２を形成すると共に、該側部２２，２２の前端を底部２１よりも突出させて両側部２２，２２間に固着された枢軸２３を備えている。該底部２１は、ネジ等により筐体１の開口部における底板４の端縁部に固着されている。前記枢着金具１５の半円溝部１７を該軸支持金具２０の枢軸２３に係合させることにより、下部ドア３の下縁が筐体１に上開き可能に枢着されて連結されるものである。
【００４９】
軸支持金具２０は、前述のように筐体１の底板４の前端縁すなわち筐体１の開口部７の下端に設けられているため、下部ドア３を開いた時に枢軸２３より下方にある部分が後方に移動する分を見越して、下部ドア３と筐体１との間に設ける隙間を最も小さくすることができ、防犯構造上有利である。同様に、枢着金具１５は、下部ドア３の厚みの内側下縁すなわち筐体１の開口部７より前側に設けられているため、前記隙間を更に小さくすることができる。
【００５０】
この枢着装置では、枢着金具１５が軸支持金具２０のコ字状に形成した側部２２、２２間に装着されるので、この構造により下部ドア３の下縁が左右方向へ変位しないように規制されるものであり、遊技客が遊技スイッチ配設台８を叩いたり、揺すったりするなどしても、下部ドア３が筐体１から外れるような不測の事故が発生する恐れがないように構成したものである。また、下部ドア３の左右方向の変位規制は、図５に示すように、前記枢着金具１５を取り付ける下部ドア３の下端部は凹溝３１が形成してあるので、下部ドア３は該凹溝３１の内側側面と軸支持金具２０の外側面とで左右方向の変位移動を拘束してもよい。
【００５１】
（下部ドアの開閉及び取外し機構）
下部ドア３の上部は施錠機構６０により開閉可能にロックされている。このため、ホッパー装置１１に対してメダルを補給する場合は、施錠機構６０のロックを解除して、下部ドア３の上部を前側に開いて、その上部開放空間からホッパー装置１１へメダルを補給するように構成されている。下部ドア３の上部に配置した遊技スイッチ配設台８の遊技スイッチ群５０の消耗により、これを交換する場合などには、下部ドア３を筐体１から取り外す必要があるが、その場合は施錠機構６０のロック解除の状態において、下部ドア３の下縁を軸に手前側に引出した後、該下部ドア３を上方に持ち上げれば、あるいは平坦な床上に置いて下部ドア３の下縁を軸に手前側に引出せば、下部ドア３の前面下部に設けられた受け皿１２の下面前縁が床に当たり、該下面前縁を支点として後方の下部ドア３側が自動的に上方に持ち上がり、前記枢着金具１５の半円溝部１７が前記軸支持金具２０の枢軸２３から離脱させることができるので、簡単に下部ドア３を筐体１から取り外すことができるものである。
【００５２】
この場合、枢着装置の結合は、前記枢軸２３に対して前記半円溝部１７が上方から載置された状態で係合しているだけであるので、従来のごとくドアの取り外しに当たり、ネジ等を外したりする手間が掛からず、ワンタッチ式に簡単に下部ドア３を取り外せるものである。しかも、下部ドア３を開いた時に、下部ドア３の重量が鞍型簡易連結手段にかかるため、下部ドア３が安定的に支持される。なお、枢着金具１５の半円溝部１７の円弧面に連続して平行状に溝部を形成すれば、軸支持金具２０の枢軸２３との係合が一層強化されるため、下部ドア３が安定的に支持された状態での下部ドア３の傾斜角度を大きくすることができる。また、枢着金具１５の前記溝部の開口側を枢軸２３よりも狭く形成しておき、枢着金具１５の弾性変形を利用して枢軸２３に装着すれば、前記係合が尚一層強化される。更に枢軸２３を８角形等の多角形に形成すると共に、枢着金具１５の前記溝部の幅を前記多角形の対辺間寸法よりも狭く形成すれば、下部ドア３を所定の前傾角度に保持させることができる。
【００５３】
更に、下部ドア３の内側下縁に馬側部材としての軸支持金具を、筐体１の開口部７の下端に逆鞍側部材としての枢着金具を設けてもよい。この場合、該枢着金具は、馬側部材を載せる上向き半円溝部を形成した構造を有している。枢着金具を下部ドア側に固着する場合は、下部ドア３を前傾回動させた時に、常に枢軸から離れる方向に離脱させることができるため、下部ドア３の着脱が容易である。一方、枢着金具を筐体側に固着する場合は、半円溝部が固定されているため、下部ドア３を前傾回動させても、常に安定的に枢軸を保持でき、下部ドア３の安定的傾斜角度を大きくすることができる。
【００５４】
（第２の枢着装置の構造）
次に、上記簡易連結手段の構造の第２の変形例について説明する。本発明で横軸型簡易連結手段とは、二つの部材間において、水平方向に形成された一方の部材の横軸と他方の部材の穴とを互いに単に挿入又は篏合しあうことにより相互の部材を連結する構造を有する手段をいう。図６〜図１０において、横軸型簡易連結手段の実施の形態を説明する。
【００５５】
（第２の枢着装置の金具）
図６は、横軸型簡易連結手段（以下、第２の枢着装置という）を示している。図６において、１５´は、ドア側に固着される篏合穴配設部材としての下部ドア側金具であり、帯板状の板材から形成され、その下端部に円筒部１９が形成されており、該円筒部１９には穴１８が設けられているものである。図７において、２０´は、筐体側の横軸配設部材としての筐体側金具であり、底部２１´の一側に側部２２´が  扇形に形成されており、他側の底部２１´の前端縁に形成した円筒部２４から枢軸２３´が突出して設けられている。この枢軸２３´は前記下部ドア側金具１５´の幅と同じ程度であり、該枢軸２３´の先端と側部２２´との間には若干の隙間が形成されている。前記扇形の側部２２´の前端は、底部２１´の前端縁よりも前方へ突き出すように延長して形成されており、該扇形の側部２２´の底部２１´側には枢軸２３´が側方より臨めるように扇形の切欠き２５が形成されている。この切欠き２５は、枢軸２３´に前記下部ドア側金具１５´の円筒部１９を側方から篏入したり、外したりできるようにするために形成するものである。
【００５６】
この第２の枢着装置の構造では、閉鎖状態における下部ドア３の左右方向の変位規制は、図１０に示すように、下部ドア側金具１５´が筐体側金具２０´の前記扇形の側部２２´に規制されることより、下部ドア３は左右方向の変位移動が拘束されるものである。
【００５７】
この第２の枢着装置の構造によれば、下部ドア３を筐体１から取り外す場合、第２の枢着装置と同様に施錠機構６０のロック解除の状態で下部ドア３を、その下端部を軸に手前側に引出した後、該下部ドア３を一旦側部方向にずらして、枢軸２３´から円筒部１９を外し、それから下部ドア３を上方に持ち上げると、下部ドア３を筐体１から取り外すことができるものである。
【００５８】
なお、この第２の枢着装置の構造において、横軸型簡易連結手段として、軸と穴との挿入篏合構造を、本実施例に限定することなく、互いに逆の部材に置換してもよいものである。すなわち、前記下部ドア側金具１５´の穴１８と前記筐体側金具２０´の枢軸２３´とを、それぞれ逆の相手側部材に置換して形成する、つまり、下部ドア側金具１５´の円筒部１９に枢軸２３´を設け、筐体側金具２０´の円筒部２４に穴１８を形成するように構成しても同様であることは理解されよう。
【００５９】
（第３の枢着装置の構造）
次に、本発明の上記簡易連結手段の構造の第３の変形例について説明する。本発明において、逆鞍型簡易連結手段とは、二つの部材間において、一方の逆鞍型部材の上に他方の胴部材が載置されるようにして該二つの部材を水平方向に離脱しないように連結する構造を有する手段をいう。図１１〜図１４は、逆鞍型簡易連結手段の実施の形態を示している。逆鞍型簡易連結手段は、ドア側に固着される馬側部材と、筐体側に固着される逆鞍側部材との組合せから成っている。
【００６０】
この逆鞍型簡易連結手段（以下、第３の枢着装置という）について説明すると、筐体１の底板４の前端縁には、下部ドア３がその下端部において第３の枢着装置により上開き可能に、かつ、着脱自在に結合されている。そして、遊技スイッチ群５０を配置した遊技スイッチ配設台８が下部ドア３の上部に一体的に設けられている。図１１〜図１４に示すように、この第３の枢着装置は、ドア側に固着される馬側部材としての支持軸３３と、筐体側に固着される逆鞍側部材としての支持金具３５との組合せから成っている。図１１において、３３は下部ドア３の前述した下部ドア３の下端部に形成した凹溝３１（図５参照）のリブ間に設けられた支持軸であり、該支持軸３３の断面形状は円形であるが、実用上問題がなければ、多角形としても構わない。
【００６１】
（第３の枢着装置の金具）
図１２〜図１４を参照して第３の枢着装置の金具について説明する。３５は筐体１の底板４上に固着する一対の支持金具である。各支持金具３５は、取付プレート３６と、この取付プレート３６の一端を屈曲させてなる支持プレート３７とを有しており、両者によりＬ字状の縦断面を形成している。前記取付プレート３６にはネジ孔（図示を省略）を形成してあり、このネジ孔を通させたネジにより取付プレート３６を底板４に固定してある。取付プレート３６を固定すると、支持プレート３７が底板４に対して起立方向に延びることになる。このように、第３の枢着装置は、一対の支持軸３３，３３と、これに対応する一対の支持金具３５，３５とにより構成したものである。
【００６２】
（支持プレート）
図１２〜図１４に示すように、支持プレート３７は受入凹部３９を備えている。受入凹部３９は、導入路３９ａと、これに続く揺動支持部３９ｂとからなる（図１２〜１３参照）。導入路３９ａは、下部ドア３を底板４に設置するときに支持軸３３を通過させることのできる幅寸法に形成してある。揺動支持部３９ｂは、支持軸３３の断面形状を円形としたことから、その曲率半径より僅かに大きな曲率半径を持つほぼ半円状に形成してあり、これにより、受け入れた支持軸３３を揺動自在に支持できるようになっている。この揺動自在とする機能が、下部ドア３を取り付けたままの状態で下部ドア３を前方（図１１の状態）に傾斜可能とする。
【００６３】
（ストッパー）
左右一対の支持プレート３７，３７（支持金具３５，３５）のうち少なくとも一方（本変形例では向って右側）の支持プレート３７には、ストッパー４１を設けてある。ストッパー４１は、支持軸３３を受け入れたままの状態の受入凹部３９を開放可能に閉鎖するための部材である。下部ドア３は、それ自体が重量物である。この重量により、ストッパー４１がなくとも一度受け入れた支持軸３３，３３が、下部ドア３の稼働による振動等の影響などにより受入凹部３９，３９から外れることはないものである。したがって、ストッパー４１を省略して支持軸３３，３３と受入凹部３９，３９との係合だけでも下部ドア３を設置する上で問題はない。他方、ストッパー４１により閉鎖しておけば、下部ドア３を傾斜させるために支持軸３３，３３を支持プレート３７，３７に対して回転（回動）させたときに受入凹部３９，３９から外れづらくなる。すなわち、閉鎖した場合のほうが、閉鎖しない場合よりも傾斜角度を大きくすることができる。これが、ストッパー４１を設けた主な理由である。ストッパー４１は、ほぼ長方形の閉鎖片４２と、この閉鎖片４２のほぼ中央の側端から側方に突き出る突片４３とにより、「ト」の字又は横向き「Ｔ」の字状に形成してあり、閉鎖片４２の中央部にある支軸４２ａにより支持プレート３７に対して揺動可能に設けてある。突片４３の先端部にはピン４３ｐを、支持プレート３７の後端部にはピン３７ｐを、それぞれ固定してある。ピン４３ｐとピン３７ｐとの間には、引っ張りバネ４５を架け渡してあり、この引っ張りバネ４５の引っ張り力がストッパー４１を時計回り方向に付勢している。ピン４３ｐ、ピン３７ｐ及び引っ張りバネ４５の３者が、本変形例の付勢構造を構成する。付勢構造は、後述するように、揺動させられたストッパー４１を元の位置に復帰させる役目も担っている。
【００６４】
他方、支持プレート３７上部から側方（図１４の紙面手前方向）に突き出るストッパーピン４４が、突片４３と接触してそれ以上の揺動を制限するように構成してある。この結果、図１４に示す閉鎖片４２は、底板４に対して起立させられ、下端部４２ｂが導入路３９ａを閉鎖する。このとき、下端部４２ｂの下端面４２ｃは、揺動支持部３９ｂを閉鎖する。すなわち、上記の引っ張りバネ４５とストッパーピン４４との相互作用により、ストッパー４１は常に閉鎖位置に保持されるようになっている。
【００６５】
ここで、閉鎖位置に保持されたストッパー４１は、受け入れようとする支持軸３３との接触により反時計回り方向に揺動させられて受入凹部３９の導入路３９ａを開放し、支持軸３３が揺動支持部３９ｂに受け入れられたときに支持軸３３との接触から解放されて閉鎖位置に復帰する。ストッパー４１の復帰は、主として引っ張りバネ４５の引っ張り力により実現する。支持軸３３，３３からの支持金具３５，３５の取り外し、すなわち下部ドア３を筐体１から取り外すには、引っ張りバネ４５に逆らいながら適宜手段によりストッパー４１を反時計回り方向に揺動させて受入凹部３９を開放してから支持軸３３，３３を持ち上げることにより行うことができる。
【００６６】
この第３の枢着装置では、支持軸３３，３３が支持金具３５，３５に装着されるので、下部ドア３の下端部は左右方向の変位が規制されるものである。また、下部ドア３の左右方向の変位規制は、前述した図５に示すように、前記支持軸３３，３３を取り付ける下部ドア３の下端部には凹溝３１が形成してあるので、下部ドア３は該凹溝３１の内側側面で左右方向の変位移動が規制されるものである。
【００６７】
（第４の枢着装置の構造）
次に、本発明の更に他の簡易連結手段である第４の変形例について説明する。第４の変形例として、鉤側部材と穴側部材との組合せから成る鉤型簡易連結手段がある。鉤型簡易連結手段とは、二つの部材間において、一方の穴側部材の上に他方の鉤側部材が係合、載置されるようにして該二つの部材を水平方向に離脱しないように連結する構造を有する手段をいう。具体的には、筐体１の底板４の前端縁に上方開口の穴側部材を固着すると共に、下部ドア３の内側下縁に後方へ突出し先端が下方に折れ曲がる鉤側部材を固着するものである。なお、ドア側に下方開口の穴側部材を、筐体側に先端が上方に折れ曲がる鉤側部材を設けてもよい。
【００６８】
【発明の効果】
本発明は、次の効果を奏するものである。
１．本発明により、スロットマシンの前面において、消耗品である遊技スイッチ群を前面ドアに装着し、スロットユニットとは別体として、簡易連結手段により筐体に着脱自在に連結したドア構造としたので、連結部を軸に前面ドアの上部を手前に引出した後、工具等を使用することなく単に持ち上げるか又は側方へずらすだけで簡易連結手段の連結を解除して前面ドアを取り外すことができ、ドアを取り外すための複雑な手間をなくして、上ドアと一体のスロットユニットには無関係に下ドアのみをワンタッチ式に簡単に取り外し、遊技スイッチ群を簡単に交換可能にすることができる。
【図面の簡単な説明】
【図１】スロットマシンの全体斜視図である。
【図２】スロットマシンの概略側面図である。
【図３】第１の枢着装置の説明図である。
【図４】第１の枢着装置の説明図である。
【図５】第１の枢着装置の説明図である。
【図６】第２の枢着装置の説明図である。
【図７】第２の枢着装置の説明図である。
【図８】スロットマシンの概略側面図である。
【図９】第２の枢着装置の動作説明図である。
【図１０】第２の枢着装置の動作説明図である。
【図１１】スロットマシンの概略側面図である。
【図１２】第３の枢着装置の説明図である。
【図１３】第３の枢着装置の説明図である。
【図１４】第３の枢着装置の説明図である。
【符合の説明】
１００    分離型スロットマシン
１    筐体
２    上部ドア
３    下部ドア
４    底板
８    遊技スイッチ配設台
１１    ホッパー装置
１５    枢着金具
２０    軸支持金具
１５´  下部ドア側金具
２０´  筐体側金具
２３´  枢軸
３３    支持軸
３５    支持金具
３７    支持プレート
３９    受入凹部
４１    ストッパー
５０    遊技スイッチ群
【図１】
2004180886.tif 000003
【図２】
2004180886.tif 000004
【図３】
2004180886.tif 000005
【図４】
2004180886.tif 000006
【図５】
2004180886.tif 000007
【図６】
2004180886.tif 000008
【図７】
2004180886.tif 000009
【図８】
2004180886.tif 000010
【図９】
2004180886.tif 000011
【図１０】
2004180886.tif 000012
【図１１】
2004180886.tif 000013
【図１２】
2004180886.tif 000014
【図１３】
2004180886.tif 000015
【図１４】
2004180886.tif 000016